(57)【要約】  システマチックビットの受信品質を向上させ、スループット性能を改善する送信装置及び送信方法を開示する。この送信装置において、ＩＲパラメータ制御部（１０１）は、再送回数に基づいてシステマチックビットとパリティビットをパケットにマッピングする割合を制御し、初回送信パケットにはパリティビットをマッピングし、再送パケットにはシステマチックビットをマッピングするよう制御する。符号化部（１０２）は、システマチックビット及びパリティビットを生成し、ＩＲパラメータに従って、システマチックビット及びパリティビットをパケットにマッピングする。送信電力算出部（１０５）は、受信側からフィードバックされた初回送信パケットの受信品質情報に基づいて、システマチックビットをマッピングする再送パケットの送信電力を算出し、送信電力制御部（１０６）は、再送パケットの送信電力を送信電力算出部（１０５）が算出した送信電力に制御する。
2007043397.tif 000002
【特許請求の範囲】
【請求項１】
送信データに符号化処理を施し、システマチックビット及びパリティビットを生成する符号化手段と、
送信単位に前記システマチックビット及び前記パリティビットをマッピングする割合であるＩＲパラメータを制御し、第１送信単位にパリティビットをマッピングし、前記第１送信単位の後に送信される第２送信単位にシステマチックビットをマッピングするように前記符号化手段を制御するＩＲパラメータ制御手段と、
受信側からフィードバックされた前記第１送信単位の受信品質情報に基づいて、前記第２送信単位の送信電力を制御する送信電力制御手段と、
を具備する送信装置。
【請求項２】
前記ＩＲパラメータ制御手段は、前記第１送信単位にパリティビットと共にシステマチックビットをマッピングするように制御する請求項１に記載の送信装置。
【請求項３】
前記送信電力制御手段は、前記第１送信単位の送信電力を前記第２送信単位の送信電力よりも低くなるように制御する請求項１に記載の送信装置。
【請求項４】
前記送信電力制御手段は、受信側からフィードバックされた前記第１送信単位の受信品質情報が所定値以下である場合、前記第２送信単位の送信電力にオフセットを設ける請求項１に記載の送信装置。
【請求項５】
前記送信電力制御手段は、前記第２送信単位の送信電力制御の結果、前記送信電力が最大送信電力を超える場合には、前記第２送信単位の送信電力を前記最大送信電力に制御する請求項１に記載の送信装置。
【請求項６】
前記送信電力制御手段は、前記受信品質情報としてＴＰＣコマンドを用い、所定期間内において、ＴＰＣコマンドが送信電力の増加を指示するＵｐの総数と、ＴＰＣコマンドが送信電力の減少を指示するＤｏｗｎの総数とに基づいて、前記第２送信単位の送信電力を制御する請求項１に記載の送信装置。
【請求項７】
前記送信電力制御手段は、ＴＰＣコマンドの信頼度情報を取得した場合、前記信頼度情報に基づいて、前記第２送信単位の送信電力の制御にＴＰＣコマンドを用いるか否かを判定する請求項６に記載の送信装置。
【請求項８】
前記送信単位は、パケット又はConcatenate TTI方式のフレームである請求項１に記載の送信装置。
【請求項９】
送信単位にシステマチックビット及びパリティビットをマッピングする割合であるＩＲパラメータを制御し、第１送信単位にパリティビットをマッピングし、前記第１送信単位の後に送信される第２送信単位にシステマチックビットをマッピングするように制御するＩＲパラメータ制御工程と、
受信側からフィードバックされた前記第１送信単位の受信品質情報に基づいて、前記第２送信単位の送信電力を制御する送信電力制御工程と、
を具備する送信方法。
【発明の詳細な説明】
【技術分野】
【０００１】
本発明は、システマチックビット及びパリティビットを送信する送信装置及び送信方法に関する。
【背景技術】
【０００２】
ＩＭＴ−２０００（International Mobile Telecommunication-2000）の高速パケット伝送方式として、ピーク伝送速度の高速化、高スループット化等を目的としたＨＳＤＰＡ（High Speed Downlink Packet Access）やＨＳＵＰＡ（High Speed Uplink Packet Access）が検討されている。また、上記方式に対して、さらなる高速化を目指した高速パケット伝送方式が、３ＧＰＰ ＲＡＮ ＬＴＥ（Long Term Evolution）において検討されている。これらの高速パケット伝送方式においては、Ｈｙｂｒｉｄ−ＡＲＱがスループット向上のために必須の技術である。【０００３】
Ｈｙｂｒｉｄ−ＡＲＱとは、ＡＲＱ（自動再送要求：Auto Repeat reQuest）とＦＥＣ（前方誤り訂正：Forward Error Correction）とを組み合わせた伝送方法であり、再送されたデータと過去受信して復号できなかったデータとを合成し、誤り訂正復号を行う技術である。これにより、ＳＩＮＲの改善、符号化利得の向上を図り、通常のＡＲＱよりも少ない再送回数で復号することが可能となり、受信品質の向上と効率の良い伝送を実現することができる。【０００４】
このＨｙｂｒｉｄ−ＡＲＱには、ターボ符号を使用したＩＲ（Incremental Redundancy）方式があり、ＨＳＤＰＡやＨＳＵＰＡでも採用され、３ＧＰＰ ＲＡＮ ＬＴＥにおいてもその採用が有力である。【０００５】
Ｈｙｂｒｉｄ−ＡＲＱのＩＲ方式は、特許文献１に開示されており、以下、この方式について図１を用いて説明する。ＩＲ方式では、図１に示すように、送信側でターボ符号化を行い、ターボ符号化された信号のうち、まず、情報ビット（以下、「システマチックビット」という）を送信し、受信側で誤り検出を行う。誤りが検出されると、受信側から送信側にＮＡＣＫ（Negative ACKnowlegement：否定応答）信号を返す。この場合、送信側は、誤り訂正のためのＦＥＣのパリティビット１を送信し、受信側は、システマチックビットとパリティビット１とを用いてターボ復号を行う。さらに誤りが検出された場合は、受信側からのＮＡＣＫ信号に応答して、送信側は同じく誤り訂正のためのＦＥＣのパリティビット２を送信し、受信側はシステマチックビットとパリティビット１、２を用いてターボ復号を行う。
【特許文献１】特開２００３−０１８１３１号公報
【発明の開示】
【発明が解決しようとする課題】
【０００６】
しかしながら、上述したＨｙｂｒｉｄ−ＡＲＱのＩＲ方式には、次のような問題がある。ターボ符号では、受信信号におけるシステマチックビットの品質が復号後の信号の品質に大きな影響を与える。すなわち、システマチックビットの品質が良くない（例えば、受信ＳＩＲが低い）場合は、パリティビットの品質が高くても所望の符号化利得が得られず、高品質の復号信号を得ることができない。【０００７】
したがって、最初にシステマチックビットが送信され、再送においてパリティビットが送信される上記ＩＲ方式では、最初に送信されたシステマチックビットがフェージングなどの伝搬環境により品質劣化した場合、その後、パリティビットを多く再送しても合成後の品質は向上せず、無駄な再送が続いてしまう。これにより、スループット性能が劣化してしまう可能性がある。【０００８】
本発明の目的は、システマチックビットの受信品質を向上させ、スループット性能を改善する送信装置及び送信方法を提供することである。
【課題を解決するための手段】
【０００９】
本発明の送信装置は、送信データに符号化処理を施し、システマチックビット及びパリティビットを生成する符号化手段と、送信単位に前記システマチックビット及び前記パリティビットをマッピングする割合であるＩＲパラメータを制御し、第１送信単位にパリティビットをマッピングし、前記第１送信単位の後に送信される第２送信単位にシステマチックビットをマッピングするように前記符号化手段を制御するＩＲパラメータ制御手段と、受信側からフィードバックされた前記第１送信単位の受信品質情報に基づいて、前記第２送信単位の送信電力を制御する送信電力制御手段と、を具備する構成を採る。【００１０】
本発明の送信方法は、送信単位にシステマチックビット及びパリティビットをマッピングする割合であるＩＲパラメータを制御し、第１送信単位にパリティビットをマッピングし、前記第１送信単位の後に送信される第２送信単位にシステマチックビットをマッピングするように制御するＩＲパラメータ制御工程と、受信側からフィードバックされた前記第１送信単位の受信品質情報に基づいて、前記第２送信単位の送信電力を制御する送信電力制御工程と、を具備するようにした。
【発明の効果】
【００１１】
本発明によれば、システマチックビットの受信品質を向上させ、スループット性能を改善することができる。
【図面の簡単な説明】
【００１２】
【図１】特許文献１に開示のＨｙｂｒｉｄ−ＡＲＱのＩＲ方式の説明に供する図
【図２】本発明の実施の形態１，３に係る送信装置の構成を示すブロック図
【図３】図２に示した送信装置とこの通信相手である受信装置との通信手順を示すシーケンス図
【図４】本発明の実施の形態２に係る送信装置の構成を示す図
【図５】送信パケットの受信時間内に受信側から送信されたＴＰＣコマンドの具体例を示す図
【図６】本発明の実施の形態３に係る送信装置とこの通信相手である受信装置との通信手順を示すシーケンス図
【発明を実施するための最良の形態】
【００１３】
以下、本発明の実施の形態について、図面を参照して詳細に説明する。【００１４】
（実施の形態１）
図２は、本発明の実施の形態１に係る送信装置の構成を示すブロック図である。この図において、ＩＲパラメータ制御部１０１は、再送回数の情報を入力し、再送回数に基づいてシステマチックビットとパリティビットをパケットにマッピングする割合（以下、「ＩＲパラメータ」という）を制御する。具体的には、再送回数０の初回送信パケットにはパリティビットをマッピングし、再送回数１の２回目送信パケット（再送パケット）にはシステマチックビットをマッピングする。ＩＲパラメータ制御部１０１によって制御されたＩＲパラメータは符号化部１０２に出力される。【００１５】
符号化部１０２は、送信データを入力し、入力した送信データをターボ符号等の符号化方式によって符号化し、システマチックビット及びパリティビットを生成する。符号化部１０２は、生成したシステマチックビット及びパリティビットを保持し、ＩＲパラメータ制御部１０１から出力されたＩＲパラメータに従って、システマチックビット及びパリティビットを変調部１０３に出力する。【００１６】
変調部１０３は、符号化部１０２から出力されたシステマチックビット及びパリティビットに変調処理を施し、変調データを生成する。生成された変調データは送信電力制御部１０６に出力される。【００１７】
目標値設定部１０４は、ＭＣＳ（Modulation and Coding Scheme）毎、かつ、再送回数毎にパケットの受信品質の目標値を有しており、入力された再送回数に応じた目標値を設定し、設定した目標値を送信電力算出部１０５に出力する。ここで、目標値は、所望のＢＬＥＲ（例えば、ＢＬＥＲ＝０．０１）を満たすＳＩＲ（以下、「目標ＳＩＲ」という）とし、この目標ＳＩＲは、ＭＣＳ毎、かつ、再送回数毎に、予めシミュレーション等で測定され、テーブル化しておくことが考えられる。このように、再送回数毎に目標値を設定する理由は、再送回数によって符号化率（符号化利得）が変わるためである。符号化利得に応じた目標ＳＩＲを用いることにより、所望の受信品質を満たしながら、送信電力を低減することができる。【００１８】
送信電力算出部１０５は、受信側からフィードバックされた初回送信パケットの受信品質情報を入力し、この受信品質情報（受信ＳＩＲ）と目標値設定部１０４から出力された目標値とに基づいて、システマチックビットをマッピングする再送パケットの送信電力を算出する。送信電力の算出方法としては、目標ＳＩＲをＳＩＲｔａｒｇｅｔ、受信側からフィードバックされた受信ＳＩＲをＳＩＲｍｅａｓｕｒｅｍｅｎｔ、初回パケットの送信電力をＰ１、再送パケットの送信電力をＰ２とすると、以下の式（１）で表される。
Ｐ２＝Ｐ１×（ＳＩＲｔａｒｇｅｔ／ＳＩＲｍｅａｓｕｒｅｍｅｎｔ）・・・（１）【００１９】
このように算出された送信電力は送信電力制御部１０６に出力される。なお、初回送信パケットの送信電力は予め設定された値とする。【００２０】
送信電力制御部１０６は、変調部１０３から出力された変調データ、すなわち、パケットデータの送信電力を、送信電力算出部１０５から出力された送信電力に制御し、電力制御したパケットデータを無線部１０７に出力する。なお、送信電力算出部１０５及び送信電力制御部１０６は、送信電力制御手段として機能する。【００２１】
無線部１０７は、送信電力制御部１０６から出力されたパケットデータにアップコンバート等の所定の送信処理を施し、送信処理を施したパケットデータをアンテナ１０８を介して無線送信する。【００２２】
次に、上述した送信装置とこの送信装置の通信相手である受信装置との通信手順について図３を用いて説明する。図３において、ＳＴ２０１では、ＩＲパラメータ制御部１０１が初回送信パケットにパリティビットをマッピングするように符号化部１０２を制御し、送信電力制御部１０６が初回送信パケットの送信電力を送信電力算出部１０５に予め設定されている送信電力に制御する。ＳＴ２０２では、パリティビットをマッピングした初回送信パケットを無線部１０７から受信装置に送信する。【００２３】
ＳＴ２０３では、受信装置が送信装置から送信された初回送信パケットを受信し、受信した初回送信パケットの受信品質を測定し、ＳＴ２０４では、受信品質情報を送信装置にフィードバックする。ＳＴ２０５では、受信装置からフィードバックされた受信品質情報を受信する。【００２４】
ＳＴ２０６では、受信装置がＳＴ２０３において受信した初回送信パケットを復号し、ＣＲＣ判定を行う。初回送信パケットにはパリティビットがマッピングされているため、必ず誤り有りと判定され、ＳＴ２０７ではＮＡＣＫ信号を送信装置に送信する。【００２５】
ＳＴ２０８では、受信装置から送信されたＮＡＣＫ信号を受信し、ＳＴ２０９では、ＳＴ２０８において受信したＮＡＣＫ信号に基づいて、ＩＲパラメータ制御部１０１が再送パケットにシステマチックビットをマッピングするように符号化部１０２を制御する。ＳＴ２１０では、ＳＴ２０７において受信した受信品質情報を用いて、送信電力算出部１０５が再送パケットの送信電力を算出する。【００２６】
ＳＴ２１１では、ＳＴ２１０において算出された送信電力で送信電力制御部１０６が再送パケットの電力制御を行う。これにより、再送パケットを所望の受信品質が得られる最低限の送信電力に設定することができ、他ユーザへの干渉を軽減し、システム全体のスループットを向上させることができる。そして、ＳＴ２１２では、システマチックビットがマッピングされた再送パケットを無線部１０７から受信装置に送信する。【００２７】
ＳＴ２１３では、受信装置が送信装置から送信された再送パケットを受信し、受信した再送パケットと既に受信している初回送信パケットとをパケット合成し、合成パケットを復号する。このように、誤り訂正を行う際に重要なシステマチックビットの受信品質を所望の受信品質に確保することにより、パケット合成後の符号化利得が得られ、受信性能を向上させることができる。【００２８】
このように実施の形態１によれば、初回送信パケットにパリティビットをマッピングして送信し、受信側からフィードバックされた初回送信パケットの受信品質情報に基づいて、システマチックビットをマッピングする再送パケットの送信電力を制御することにより、伝搬環境に応じた送信電力でシステマチックビットを送信することができるので、システマチックビットの受信品質を向上させることができ、パケット合成後の受信性能を改善することができる。また、システマチックビットの送信電力を所望の受信品質が得られる最低限に設定することができ、他ユーザへの干渉を軽減し、システム全体のスループットを向上させることができる。【００２９】
なお、本実施の形態では、ＩＲパラメータ制御部１０１は、初回送信パケットにパリティビットをマッピングするものとして説明したが、初回送信パケットにシステマチックビットをパリティビットと共に割り当ててもよい。これにより、伝搬環境が良好であれば、再送することなく初回送信パケットのみで復号することができる。【００３０】
また、本実施の形態では、送信電力算出部１０５は、初回送信パケットの送信電力を予め設定されているものとして説明したが、この設定値を低め（第１送信電力）にして、再送パケットの送信電力を第１送信電力より上げるようにしてもよい。これにより、第１送信電力を低く抑えることになり、他ユーザへの干渉を低減することができ、システム全体のスループットを向上させることができる。【００３１】
また、本実施の形態では、送信電力算出部１０５における算出方法として、式（１）に示す方法を説明したが、初回送信パケットの受信品質が所定の閾値以下に劣化している場合、再送パケットの送信電力に所定量のオフセットを加えるようにしてもよい。すなわち、オフセットをＰｏｆｆｓｅｔとすると、以下の式（２）で表される。
Ｐ２＝Ｐ１×（ＳＩＲｔａｒｇｅｔ／ＳＩＲｍｅａｓｕｒｅｍｅｎｔ）×Ｐｏｆｆｓｅｔ・・・（２）【００３２】
これにより、システマチックビットをより正確に再送することができ、初回送信パケットの受信品質が大きく劣化した場合でも、パケット合成後の受信性能を改善することができる。【００３３】
また、送信電力算出部１０５で算出した再送パケットの送信電力が、送信装置によって送信可能な最大電力を超えた場合には、送信電力算出部１０５は送信電力制御部１０６へ最大電力で再送するように指示し、かつ、符号化部１０２へ伝送レート（データサイズ、誤り訂正符号化率等）を誤り耐性がより強くなるように図示せぬ信号線を介して指示するようにしてもよい。【００３４】
これにより、送信装置によって送信可能な送信電力の最大値を超える場合でも、パケット合成後の受信性能を改善させることができる。【００３５】
また、本実施の形態では、受信装置において、受信した初回送信パケットのＣＲＣ判定及びＮＡＣＫ信号送信を行うものとして説明したが、初回送信パケットには主にパリティビットをマッピングすることを前提としているため、受信装置における初回送信パケットのＣＲＣ判定では誤り有りと判定されることから、ＣＲＣ判定及びＮＡＣＫ信号送信の処理を削除してもよい。これにより、受信装置における処理を削減することができる。【００３６】
（実施の形態２）
実施の形態１では、受信品質情報として受信ＳＩＲを用いる場合について説明したが、本発明の実施の形態２では、受信側が受信ＳＩＲと目標ＳＩＲとの大小比較に基づいて、送信電力の増加又は減少を送信側へ指示するＴＰＣ（Transmission Power Control）コマンドを用いる場合について説明する。【００３７】
図４は、本発明の実施の形態２に係る送信装置の構成を示す図である。ただし、図４が図２と共通する部分には図２と同一の符号を付し、その詳細な説明は省略する。図４が図２と異なる点は、目標値設定部１０４を削除した点と、ＴＰＣ誤差推定部３０１を追加した点と、送信電力算出部１０５を送信電力算出部３０２に変更した点である。【００３８】
図４において、ＴＰＣ誤差推定部３０１は、送信パケットの受信時間内に受信側から送信されたＴＰＣコマンドを取得し、取得したＴＰＣコマンドを用いて、送信パケットの目標ＳＩＲからの送信電力誤差（ＴＰＣ誤差）を推定し、推定したＴＰＣ誤差を送信電力算出部３０２に出力する。【００３９】
ＴＰＣ誤差の推定方法としては、ＴＰＣコマンドのＵｐ（増加）が多いほどＴＰＣ誤差が目標ＳＩＲよりマイナス方向に大きいものとし、Ｄｏｗｎ（減少）が多いほどＴＰＣ誤差は目標ＳＩＲよりプラス方向に大きいものとし、ＵｐとＤｏｗｎとが同じ割合であればＴＰＣ誤差はゼロとする。例えば、送信電力制御のステップ幅を用いると、以下の式（３）で表される。
ＴＰＣ誤差＝（Ｕｐの総数−Ｄｏｗｎの総数）×ステップ幅・・・（３）【００４０】
ここで、送信パケットの受信時間内に受信側から送信されたＴＰＣコマンドの具体例を図５に示す。図５では、縦軸をＳＩＲ［ｄＢ］とし、横軸を時間とする。また、受信ＳＩＲを点線で示し、目標ＳＩＲを実線で示す。このとき、各送信電力制御タイミングにおける受信ＳＩＲと目標ＳＩＲとの大小比較の結果、時間０及び時間４では、受信ＳＩＲが目標ＳＩＲより大きいのでＴＰＣコマンドがＤｏｗｎとなり、時間１〜３及び時間５では、受信ＳＩＲが目標ＳＩＲより小さいのでＴＰＣコマンドがＵｐとなり、Ｕｐの総数が４、Ｄｏｗｎの総数が２となる。ステップ幅を１ｄＢとすると、上式（３）より、ＴＰＣ誤差は２ｄＢとなる。ここでは、Ｕｐの総数がＤｏｗｎの総数より多いことから、ＴＰＣ誤差は目標ＳＩＲよりマイナス方向を示しており、図５では一点鎖線が推定ＳＩＲを示している。【００４１】
ここで、ＴＰＣコマンドと共に、その信頼度情報を受信側から送信してもらい、式（３）のＴＰＣ誤差算出において、信頼度が低いＴＰＣコマンドを算出に使わないことにより、ＴＰＣ誤差の精度をより向上させることができる。なお、信頼度情報とは、ＴＰＣコマンドの信頼度、確からしさを示す情報であり、例えば、受信側が測定したＳＩＲと目標ＳＩＲの差が所定しきい値よりも小さい場合に、信頼度を低くし、所定しきい値よりも大きい場合に、信頼度を高くする。【００４２】
送信電力算出部３０２は、ＴＰＣ誤差推定部３０１から出力されたＴＰＣ誤差に基づいて、システマチックビットをマッピングする再送パケットの送信電力を算出する。送信電力の算出方法としては、初回パケットの送信電力をＰ１、再送パケットの送信電力をＰ２とすると、以下の式（４）で表される。
Ｐ２＝Ｐ１×ＴＰＣ誤差・・・（４）【００４３】
また、再送回数に応じた符号化利得を考慮して、再送パケットの送信電力を算出する場合には、所望の受信品質を満たす所要ＳＩＲの前回送信時からの変化量をΔＳＩＲｔａｒｇｅｔとすると、以下の式（５）で表される。
Ｐ２＝Ｐ１×ＴＰＣ誤差×ΔＳＩＲｔａｒｇｅｔ・・・（５）【００４４】
このように実施の形態２によれば、送信電力制御に用いられるＴＰＣコマンドに基づいて、システマチックビットをマッピングする再送パケットの送信電力を制御することにより、送信電力制御誤差を補正しつつ、伝搬環境に応じた送信電力制御を行うことができる。また、受信品質情報として既存のＴＰＣコマンドを流用することにより、新たな制御情報を追加する必要がないので、データの伝送効率を向上させることができる。【００４５】
（実施の形態３）
実施の形態１及び実施の形態２では、システマチックビット及びパリティビットをマッピングする送信単位としてパケットを用いる場合について説明したが、本発明の実施の形態３では、システマチックビット及びパリティビットをマッピングする送信単位としてフレームを用いる場合について説明する。なお、システマチックビット及びパリティビットをフレームにマッピングし、受信側において、複数フレームを連結して誤り訂正復号を行う方式をConcatenate TTI(Transmission Time Interval)という。【００４６】
本発明の実施の形態３に係る送信装置の構成は、図２に示した構成においてシステマチックビット及びパリティビットをフレームにマッピングする点が異なるだけなので、図２を援用して説明する。【００４７】
ここで、上記送信装置とこの送信装置の通信相手である受信装置との通信手順について図６を用いて説明する。図６において、ＳＴ５０１では、ＩＲパラメータ制御部１０１が初回送信フレーム＃１にパリティビットをマッピングするように符号化部１０２を制御し、送信電力制御部１０６が初回送信フレーム＃１の送信電力を送信電力算出部１０５に予め設定されている送信電力に制御する。ＳＴ５０２では、パリティビットがマッピングされた初回送信フレーム＃１を無線部１０７から受信装置に送信する。【００４８】
ＳＴ５０３では、受信装置が送信装置から送信された初回送信フレーム＃１を受信し、受信した初回送信フレーム＃１の受信品質を測定する。ＳＴ５０４では、受信品質情報を送信装置にフィードバックする。【００４９】
ＳＴ５０５では、受信装置からフィードバックされた受信品質情報を受信し、ＳＴ５０６では、ＩＲパラメータ制御部１０１が２回目送信フレーム＃２にシステマチックビットをマッピングするように符号化部１０２を制御する。【００５０】
ＳＴ５０７では、ＳＴ５０５において受信した受信品質情報を用いて、送信電力算出部１０５が２回目送信フレーム＃２の送信電力を算出し、ＳＴ５０８では、ＳＴ５０７において算出された送信電力で送信電力制御部１０６が２回目送信フレーム＃２の電力制御を行う。ＳＴ５０９では、システマチックビットがマッピングされた２回目送信フレーム＃２を無線部１０７から受信装置に送信する。【００５１】
ＳＴ５１０では、受信装置が送信装置から送信された２回目送信フレーム＃２を受信し、受信した２回目送信フレーム＃２と既に受信している初回送信フレーム＃１とを連結し、連結したフレームを復号する。【００５２】
このように実施の形態３によれば、初回送信フレームにパリティビットをマッピングして送信し、受信側からフィードバックされた初回送信フレームの受信品質情報に基づいて、システマチックビットをマッピングする２回目送信フレームの送信電力を制御することにより、伝搬環境に応じた送信電力でシステマチックビットを送信することができるので、システマチックビットの受信品質を向上させることができ、パケット合成後の受信性能を改善することができる。また、システマチックビットの送信電力を所望の受信品質が得られる最低限に設定することができ、他ユーザへの干渉を軽減し、システム全体のスループットを向上させることができる。【００５３】
なお、上記各実施の形態では、システマチックビットをマッピングした再送パケット又は２回目送信フレームの送信電力を制御する場合について説明したが、本発明はこれに限らず、２回目以降に送信される再送パケット、送信フレームの送信電力を制御するようにしてもよい。これにより、例えば、ＱｏＳ（Quality of Service）で許容されている最大再送回数で再送する場合など、受信側で誤りなしと判定させたいタイミングで再送パケット又は送信フレームの受信品質を向上させることができる。【００５４】
上記各実施の形態では、本発明をハードウェアで構成する場合を例にとって説明したが、本発明はソフトウェアで実現することも可能である。【００５５】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。【００５６】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。【００５７】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。【００５８】
本明細書は、２００５年１０月１１日出願の特願２００５−２９６７５２に基づくものである。この内容は全てここに含めておく。
【産業上の利用可能性】
【００５９】
本発明にかかる送信装置及び送信方法は、システマチックビットの受信品質を向上させ、再送回数を低減し、スループット性能を改善することができ、例えば、Ｈｙｂｒｉｄ−ＡＲＱのＩＲ方式に適用できる。
【図１】
2007043397.tif 000003
【図２】
2007043397.tif 000004
【図３】
2007043397.tif 000005
【図４】
2007043397.tif 000006
【図５】
2007043397.tif 000007
【図６】
2007043397.tif 000008
【手続補正書】
【提出日】平成20年4月16日(2008.4.16)
【手続補正１】
【補正対象書類名】特許請求の範囲
【補正対象項目名】全文
【補正方法】変更
【補正の内容】
【特許請求の範囲】
【請求項１】
送信データに符号化処理を施し、システマチックビット及びパリティビットを生成する符号化手段と、
送信単位に前記システマチックビット及び前記パリティビットをマッピングする割合であるＩＲパラメータを制御し、第１送信単位にパリティビットをマッピングし、前記第１送信単位の後に送信される第２送信単位にシステマチックビットをマッピングするように前記符号化手段を制御するＩＲパラメータ制御手段と、
受信側からフィードバックされた前記第１送信単位の受信品質情報に基づいて、前記第２送信単位の送信電力を制御する送信電力制御手段と、
を具備する送信装置。
【請求項２】
前記ＩＲパラメータ制御手段は、前記第１送信単位にパリティビットと共にシステマチックビットをマッピングするように制御する請求項１に記載の送信装置。
【請求項３】
前記送信電力制御手段は、前記第１送信単位の送信電力を前記第２送信単位の送信電力よりも低くなるように制御する請求項１に記載の送信装置。
【請求項４】
前記送信電力制御手段は、受信側からフィードバックされた前記第１送信単位の受信品質情報が所定値以下である場合、前記第２送信単位の送信電力にオフセットを設ける請求項１に記載の送信装置。
【請求項５】
前記送信電力制御手段は、前記第２送信単位の送信電力制御の結果、前記送信電力が最大送信電力を超える場合には、前記第２送信単位の送信電力を前記最大送信電力に制御する請求項１に記載の送信装置。
【請求項６】
前記送信電力制御手段は、前記受信品質情報としてＴＰＣコマンドを用い、所定期間内において、ＴＰＣコマンドが送信電力の増加を指示するＵｐの総数と、ＴＰＣコマンドが送信電力の減少を指示するＤｏｗｎの総数とに基づいて、前記第２送信単位の送信電力を制御する請求項１に記載の送信装置。
【請求項７】
前記送信電力制御手段は、ＴＰＣコマンドの信頼度情報を取得した場合、前記信頼度情報に基づいて、前記第２送信単位の送信電力の制御にＴＰＣコマンドを用いるか否かを判定する請求項６に記載の送信装置。
【請求項８】
前記送信単位は、パケット又はConcatenate TTI方式のフレームである請求項１に記載の送信装置。
【請求項９】
送信単位にシステマチックビット及びパリティビットをマッピングする割合であるＩＲパラメータを制御し、第１送信単位にパリティビットをマッピングし、前記第１送信単位の後に送信される第２送信単位にシステマチックビットをマッピングするように制御するＩＲパラメータ制御工程と、
受信側からフィードバックされた前記第１送信単位の受信品質情報に基づいて、前記第２送信単位の送信電力を制御する送信電力制御工程と、
を具備する送信方法。
【手続補正２】
【補正対象書類名】明細書
【補正対象項目名】全文
【補正方法】変更
【補正の内容】
【発明の詳細な説明】
【技術分野】
【０００１】
本発明は、システマチックビット及びパリティビットを送信する送信装置及び送信方法に関する。
【背景技術】
【０００２】
ＩＭＴ−２０００（International Mobile Telecommunication-2000）の高速パケット伝送方式として、ピーク伝送速度の高速化、高スループット化等を目的としたＨＳＤＰＡ（High Speed Downlink Packet Access）やＨＳＵＰＡ（High Speed Uplink Packet Access）が検討されている。また、上記方式に対して、さらなる高速化を目指した高速パケット伝送方式が、３ＧＰＰ ＲＡＮ ＬＴＥ（Long Term Evolution）において検討されている。これらの高速パケット伝送方式においては、Ｈｙｂｒｉｄ−ＡＲＱがスループット向上のために必須の技術である。
【０００３】
Ｈｙｂｒｉｄ−ＡＲＱとは、ＡＲＱ（自動再送要求：Auto Repeat reQuest）とＦＥＣ（前方誤り訂正：Forward Error Correction）とを組み合わせた伝送方法であり、再送されたデータと過去受信して復号できなかったデータとを合成し、誤り訂正復号を行う技術である。これにより、ＳＩＮＲの改善、符号化利得の向上を図り、通常のＡＲＱよりも少ない再送回数で復号することが可能となり、受信品質の向上と効率の良い伝送を実現することができる。
【０００４】
このＨｙｂｒｉｄ−ＡＲＱには、ターボ符号を使用したＩＲ（Incremental Redundancy）方式があり、ＨＳＤＰＡやＨＳＵＰＡでも採用され、３ＧＰＰ ＲＡＮ ＬＴＥにおいてもその採用が有力である。
【０００５】
Ｈｙｂｒｉｄ−ＡＲＱのＩＲ方式は、特許文献１に開示されており、以下、この方式について図１を用いて説明する。ＩＲ方式では、図１に示すように、送信側でターボ符号化を行い、ターボ符号化された信号のうち、まず、情報ビット（以下、「システマチックビット」という）を送信し、受信側で誤り検出を行う。誤りが検出されると、受信側から送信側にＮＡＣＫ（Negative ACKnowlegement：否定応答）信号を返す。この場合、送信側は、誤り訂正のためのＦＥＣのパリティビット１を送信し、受信側は、システマチックビットとパリティビット１とを用いてターボ復号を行う。さらに誤りが検出された場合は、受信側からのＮＡＣＫ信号に応答して、送信側は同じく誤り訂正のためのＦＥＣのパリティビット２を送信し、受信側はシステマチックビットとパリティビット１、２を用いてターボ復号を行う。
【特許文献１】特開２００３−０１８１３１号公報
【発明の開示】
【発明が解決しようとする課題】
【０００６】
しかしながら、上述したＨｙｂｒｉｄ−ＡＲＱのＩＲ方式には、次のような問題がある。ターボ符号では、受信信号におけるシステマチックビットの品質が復号後の信号の品質に大きな影響を与える。すなわち、システマチックビットの品質が良くない（例えば、受信ＳＩＲが低い）場合は、パリティビットの品質が高くても所望の符号化利得が得られず、高品質の復号信号を得ることができない。
【０００７】
したがって、最初にシステマチックビットが送信され、再送においてパリティビットが送信される上記ＩＲ方式では、最初に送信されたシステマチックビットがフェージングなどの伝搬環境により品質劣化した場合、その後、パリティビットを多く再送しても合成後
の品質は向上せず、無駄な再送が続いてしまう。これにより、スループット性能が劣化してしまう可能性がある。
【０００８】
本発明の目的は、システマチックビットの受信品質を向上させ、スループット性能を改善する送信装置及び送信方法を提供することである。
【課題を解決するための手段】
【０００９】
本発明の送信装置は、送信データに符号化処理を施し、システマチックビット及びパリティビットを生成する符号化手段と、送信単位に前記システマチックビット及び前記パリティビットをマッピングする割合であるＩＲパラメータを制御し、第１送信単位にパリティビットをマッピングし、前記第１送信単位の後に送信される第２送信単位にシステマチックビットをマッピングするように前記符号化手段を制御するＩＲパラメータ制御手段と、受信側からフィードバックされた前記第１送信単位の受信品質情報に基づいて、前記第２送信単位の送信電力を制御する送信電力制御手段と、を具備する構成を採る。
【００１０】
本発明の送信方法は、送信単位にシステマチックビット及びパリティビットをマッピングする割合であるＩＲパラメータを制御し、第１送信単位にパリティビットをマッピングし、前記第１送信単位の後に送信される第２送信単位にシステマチックビットをマッピングするように制御するＩＲパラメータ制御工程と、受信側からフィードバックされた前記第１送信単位の受信品質情報に基づいて、前記第２送信単位の送信電力を制御する送信電力制御工程と、を具備するようにした。
【発明の効果】
【００１１】
本発明によれば、システマチックビットの受信品質を向上させ、スループット性能を改善することができる。
【発明を実施するための最良の形態】
【００１２】
以下、本発明の実施の形態について、図面を参照して詳細に説明する。
【００１３】
（実施の形態１）
図２は、本発明の実施の形態１に係る送信装置の構成を示すブロック図である。この図において、ＩＲパラメータ制御部１０１は、再送回数の情報を入力し、再送回数に基づいてシステマチックビットとパリティビットをパケットにマッピングする割合（以下、「ＩＲパラメータ」という）を制御する。具体的には、再送回数０の初回送信パケットにはパリティビットをマッピングし、再送回数１の２回目送信パケット（再送パケット）にはシステマチックビットをマッピングする。ＩＲパラメータ制御部１０１によって制御されたＩＲパラメータは符号化部１０２に出力される。
【００１４】
符号化部１０２は、送信データを入力し、入力した送信データをターボ符号等の符号化
方式によって符号化し、システマチックビット及びパリティビットを生成する。符号化部１０２は、生成したシステマチックビット及びパリティビットを保持し、ＩＲパラメータ制御部１０１から出力されたＩＲパラメータに従って、システマチックビット及びパリティビットを変調部１０３に出力する。
【００１５】
変調部１０３は、符号化部１０２から出力されたシステマチックビット及びパリティビットに変調処理を施し、変調データを生成する。生成された変調データは送信電力制御部１０６に出力される。
【００１６】
目標値設定部１０４は、ＭＣＳ（Modulation and Coding Scheme）毎、かつ、再送回数毎にパケットの受信品質の目標値を有しており、入力された再送回数に応じた目標値を設定し、設定した目標値を送信電力算出部１０５に出力する。ここで、目標値は、所望のＢＬＥＲ（例えば、ＢＬＥＲ＝０．０１）を満たすＳＩＲ（以下、「目標ＳＩＲ」という）とし、この目標ＳＩＲは、ＭＣＳ毎、かつ、再送回数毎に、予めシミュレーション等で測定され、テーブル化しておくことが考えられる。このように、再送回数毎に目標値を設定する理由は、再送回数によって符号化率（符号化利得）が変わるためである。符号化利得に応じた目標ＳＩＲを用いることにより、所望の受信品質を満たしながら、送信電力を低減することができる。
【００１７】
送信電力算出部１０５は、受信側からフィードバックされた初回送信パケットの受信品質情報を入力し、この受信品質情報（受信ＳＩＲ）と目標値設定部１０４から出力された目標値とに基づいて、システマチックビットをマッピングする再送パケットの送信電力を算出する。送信電力の算出方法としては、目標ＳＩＲをＳＩＲｔａｒｇｅｔ、受信側からフィードバックされた受信ＳＩＲをＳＩＲｍｅａｓｕｒｅｍｅｎｔ、初回パケットの送信電力をＰ１、再送パケットの送信電力をＰ２とすると、以下の式（１）で表される。
Ｐ２＝Ｐ１×（ＳＩＲｔａｒｇｅｔ／ＳＩＲｍｅａｓｕｒｅｍｅｎｔ）・・・（１）
【００１８】
このように算出された送信電力は送信電力制御部１０６に出力される。なお、初回送信パケットの送信電力は予め設定された値とする。
【００１９】
送信電力制御部１０６は、変調部１０３から出力された変調データ、すなわち、パケットデータの送信電力を、送信電力算出部１０５から出力された送信電力に制御し、電力制御したパケットデータを無線部１０７に出力する。なお、送信電力算出部１０５及び送信電力制御部１０６は、送信電力制御手段として機能する。
【００２０】
無線部１０７は、送信電力制御部１０６から出力されたパケットデータにアップコンバート等の所定の送信処理を施し、送信処理を施したパケットデータをアンテナ１０８を介して無線送信する。
【００２１】
次に、上述した送信装置とこの送信装置の通信相手である受信装置との通信手順について図３を用いて説明する。図３において、ＳＴ２０１では、ＩＲパラメータ制御部１０１が初回送信パケットにパリティビットをマッピングするように符号化部１０２を制御し、送信電力制御部１０６が初回送信パケットの送信電力を送信電力算出部１０５に予め設定されている送信電力に制御する。ＳＴ２０２では、パリティビットをマッピングした初回送信パケットを無線部１０７から受信装置に送信する。
【００２２】
ＳＴ２０３では、受信装置が送信装置から送信された初回送信パケットを受信し、受信した初回送信パケットの受信品質を測定し、ＳＴ２０４では、受信品質情報を送信装置にフィードバックする。ＳＴ２０５では、受信装置からフィードバックされた受信品質情報
を受信する。
【００２３】
ＳＴ２０６では、受信装置がＳＴ２０３において受信した初回送信パケットを復号し、ＣＲＣ判定を行う。初回送信パケットにはパリティビットがマッピングされているため、必ず誤り有りと判定され、ＳＴ２０７ではＮＡＣＫ信号を送信装置に送信する。
【００２４】
ＳＴ２０８では、受信装置から送信されたＮＡＣＫ信号を受信し、ＳＴ２０９では、ＳＴ２０８において受信したＮＡＣＫ信号に基づいて、ＩＲパラメータ制御部１０１が再送パケットにシステマチックビットをマッピングするように符号化部１０２を制御する。ＳＴ２１０では、ＳＴ２０７において受信した受信品質情報を用いて、送信電力算出部１０５が再送パケットの送信電力を算出する。
【００２５】
ＳＴ２１１では、ＳＴ２１０において算出された送信電力で送信電力制御部１０６が再送パケットの電力制御を行う。これにより、再送パケットを所望の受信品質が得られる最低限の送信電力に設定することができ、他ユーザへの干渉を軽減し、システム全体のスループットを向上させることができる。そして、ＳＴ２１２では、システマチックビットがマッピングされた再送パケットを無線部１０７から受信装置に送信する。
【００２６】
ＳＴ２１３では、受信装置が送信装置から送信された再送パケットを受信し、受信した再送パケットと既に受信している初回送信パケットとをパケット合成し、合成パケットを復号する。このように、誤り訂正を行う際に重要なシステマチックビットの受信品質を所望の受信品質に確保することにより、パケット合成後の符号化利得が得られ、受信性能を向上させることができる。
【００２７】
このように実施の形態１によれば、初回送信パケットにパリティビットをマッピングして送信し、受信側からフィードバックされた初回送信パケットの受信品質情報に基づいて、システマチックビットをマッピングする再送パケットの送信電力を制御することにより、伝搬環境に応じた送信電力でシステマチックビットを送信することができるので、システマチックビットの受信品質を向上させることができ、パケット合成後の受信性能を改善することができる。また、システマチックビットの送信電力を所望の受信品質が得られる最低限に設定することができ、他ユーザへの干渉を軽減し、システム全体のスループットを向上させることができる。
【００２８】
なお、本実施の形態では、ＩＲパラメータ制御部１０１は、初回送信パケットにパリティビットをマッピングするものとして説明したが、初回送信パケットにシステマチックビットをパリティビットと共に割り当ててもよい。これにより、伝搬環境が良好であれば、再送することなく初回送信パケットのみで復号することができる。
【００２９】
また、本実施の形態では、送信電力算出部１０５は、初回送信パケットの送信電力を予め設定されているものとして説明したが、この設定値を低め（第１送信電力）にして、再送パケットの送信電力を第１送信電力より上げるようにしてもよい。これにより、第１送信電力を低く抑えることになり、他ユーザへの干渉を低減することができ、システム全体のスループットを向上させることができる。
【００３０】
また、本実施の形態では、送信電力算出部１０５における算出方法として、式（１）に示す方法を説明したが、初回送信パケットの受信品質が所定の閾値以下に劣化している場合、再送パケットの送信電力に所定量のオフセットを加えるようにしてもよい。すなわち、オフセットをＰｏｆｆｓｅｔとすると、以下の式（２）で表される。
Ｐ２＝Ｐ１×（ＳＩＲｔａｒｇｅｔ／ＳＩＲｍｅａｓｕｒｅｍｅｎｔ）×Ｐｏｆｆｓｅｔ・・・（２）
【００３１】
これにより、システマチックビットをより正確に再送することができ、初回送信パケットの受信品質が大きく劣化した場合でも、パケット合成後の受信性能を改善することができる。
【００３２】
また、送信電力算出部１０５で算出した再送パケットの送信電力が、送信装置によって送信可能な最大電力を超えた場合には、送信電力算出部１０５は送信電力制御部１０６へ最大電力で再送するように指示し、かつ、符号化部１０２へ伝送レート（データサイズ、誤り訂正符号化率等）を誤り耐性がより強くなるように図示せぬ信号線を介して指示するようにしてもよい。
【００３３】
これにより、送信装置によって送信可能な送信電力の最大値を超える場合でも、パケット合成後の受信性能を改善させることができる。
【００３４】
また、本実施の形態では、受信装置において、受信した初回送信パケットのＣＲＣ判定及びＮＡＣＫ信号送信を行うものとして説明したが、初回送信パケットには主にパリティビットをマッピングすることを前提としているため、受信装置における初回送信パケットのＣＲＣ判定では誤り有りと判定されることから、ＣＲＣ判定及びＮＡＣＫ信号送信の処理を削除してもよい。これにより、受信装置における処理を削減することができる。
【００３５】
（実施の形態２）
実施の形態１では、受信品質情報として受信ＳＩＲを用いる場合について説明したが、本発明の実施の形態２では、受信側が受信ＳＩＲと目標ＳＩＲとの大小比較に基づいて、送信電力の増加又は減少を送信側へ指示するＴＰＣ（Transmission Power Control）コマンドを用いる場合について説明する。
【００３６】
図４は、本発明の実施の形態２に係る送信装置の構成を示す図である。ただし、図４が図２と共通する部分には図２と同一の符号を付し、その詳細な説明は省略する。図４が図２と異なる点は、目標値設定部１０４を削除した点と、ＴＰＣ誤差推定部３０１を追加した点と、送信電力算出部１０５を送信電力算出部３０２に変更した点である。
【００３７】
図４において、ＴＰＣ誤差推定部３０１は、送信パケットの受信時間内に受信側から送信されたＴＰＣコマンドを取得し、取得したＴＰＣコマンドを用いて、送信パケットの目標ＳＩＲからの送信電力誤差（ＴＰＣ誤差）を推定し、推定したＴＰＣ誤差を送信電力算出部３０２に出力する。
【００３８】
ＴＰＣ誤差の推定方法としては、ＴＰＣコマンドのＵｐ（増加）が多いほどＴＰＣ誤差が目標ＳＩＲよりマイナス方向に大きいものとし、Ｄｏｗｎ（減少）が多いほどＴＰＣ誤差は目標ＳＩＲよりプラス方向に大きいものとし、ＵｐとＤｏｗｎとが同じ割合であればＴＰＣ誤差はゼロとする。例えば、送信電力制御のステップ幅を用いると、以下の式（３）で表される。
ＴＰＣ誤差＝（Ｕｐの総数−Ｄｏｗｎの総数）×ステップ幅・・・（３）
【００３９】
ここで、送信パケットの受信時間内に受信側から送信されたＴＰＣコマンドの具体例を図５に示す。図５では、縦軸をＳＩＲ［ｄＢ］とし、横軸を時間とする。また、受信ＳＩＲを点線で示し、目標ＳＩＲを実線で示す。このとき、各送信電力制御タイミングにおける受信ＳＩＲと目標ＳＩＲとの大小比較の結果、時間０及び時間４では、受信ＳＩＲが目標ＳＩＲより大きいのでＴＰＣコマンドがＤｏｗｎとなり、時間１〜３及び時間５では、受信ＳＩＲが目標ＳＩＲより小さいのでＴＰＣコマンドがＵｐとなり、Ｕｐの総数が４、Ｄｏｗｎの総数が２となる。ステップ幅を１ｄＢとすると、上式（３）より、ＴＰＣ誤差
は２ｄＢとなる。ここでは、Ｕｐの総数がＤｏｗｎの総数より多いことから、ＴＰＣ誤差は目標ＳＩＲよりマイナス方向を示しており、図５では一点鎖線が推定ＳＩＲを示している。
【００４０】
ここで、ＴＰＣコマンドと共に、その信頼度情報を受信側から送信してもらい、式（３）のＴＰＣ誤差算出において、信頼度が低いＴＰＣコマンドを算出に使わないことにより、ＴＰＣ誤差の精度をより向上させることができる。なお、信頼度情報とは、ＴＰＣコマンドの信頼度、確からしさを示す情報であり、例えば、受信側が測定したＳＩＲと目標ＳＩＲの差が所定しきい値よりも小さい場合に、信頼度を低くし、所定しきい値よりも大きい場合に、信頼度を高くする。
【００４１】
送信電力算出部３０２は、ＴＰＣ誤差推定部３０１から出力されたＴＰＣ誤差に基づいて、システマチックビットをマッピングする再送パケットの送信電力を算出する。送信電力の算出方法としては、初回パケットの送信電力をＰ１、再送パケットの送信電力をＰ２とすると、以下の式（４）で表される。
Ｐ２＝Ｐ１×ＴＰＣ誤差・・・（４）
【００４２】
また、再送回数に応じた符号化利得を考慮して、再送パケットの送信電力を算出する場合には、所望の受信品質を満たす所要ＳＩＲの前回送信時からの変化量をΔＳＩＲｔａｒｇｅｔとすると、以下の式（５）で表される。
Ｐ２＝Ｐ１×ＴＰＣ誤差×ΔＳＩＲｔａｒｇｅｔ・・・（５）
【００４３】
このように実施の形態２によれば、送信電力制御に用いられるＴＰＣコマンドに基づいて、システマチックビットをマッピングする再送パケットの送信電力を制御することにより、送信電力制御誤差を補正しつつ、伝搬環境に応じた送信電力制御を行うことができる。また、受信品質情報として既存のＴＰＣコマンドを流用することにより、新たな制御情報を追加する必要がないので、データの伝送効率を向上させることができる。
【００４４】
（実施の形態３）
実施の形態１及び実施の形態２では、システマチックビット及びパリティビットをマッピングする送信単位としてパケットを用いる場合について説明したが、本発明の実施の形態３では、システマチックビット及びパリティビットをマッピングする送信単位としてフレームを用いる場合について説明する。なお、システマチックビット及びパリティビットをフレームにマッピングし、受信側において、複数フレームを連結して誤り訂正復号を行う方式をConcatenate TTI(Transmission Time Interval)という。
【００４５】
本発明の実施の形態３に係る送信装置の構成は、図２に示した構成においてシステマチックビット及びパリティビットをフレームにマッピングする点が異なるだけなので、図２を援用して説明する。
【００４６】
ここで、上記送信装置とこの送信装置の通信相手である受信装置との通信手順について図６を用いて説明する。図６において、ＳＴ５０１では、ＩＲパラメータ制御部１０１が初回送信フレーム＃１にパリティビットをマッピングするように符号化部１０２を制御し、送信電力制御部１０６が初回送信フレーム＃１の送信電力を送信電力算出部１０５に予め設定されている送信電力に制御する。ＳＴ５０２では、パリティビットがマッピングされた初回送信フレーム＃１を無線部１０７から受信装置に送信する。
【００４７】
ＳＴ５０３では、受信装置が送信装置から送信された初回送信フレーム＃１を受信し、受信した初回送信フレーム＃１の受信品質を測定する。ＳＴ５０４では、受信品質情報を送信装置にフィードバックする。
【００４８】
ＳＴ５０５では、受信装置からフィードバックされた受信品質情報を受信し、ＳＴ５０６では、ＩＲパラメータ制御部１０１が２回目送信フレーム＃２にシステマチックビットをマッピングするように符号化部１０２を制御する。
【００４９】
ＳＴ５０７では、ＳＴ５０５において受信した受信品質情報を用いて、送信電力算出部１０５が２回目送信フレーム＃２の送信電力を算出し、ＳＴ５０８では、ＳＴ５０７において算出された送信電力で送信電力制御部１０６が２回目送信フレーム＃２の電力制御を行う。ＳＴ５０９では、システマチックビットがマッピングされた２回目送信フレーム＃２を無線部１０７から受信装置に送信する。
【００５０】
ＳＴ５１０では、受信装置が送信装置から送信された２回目送信フレーム＃２を受信し、受信した２回目送信フレーム＃２と既に受信している初回送信フレーム＃１とを連結し、連結したフレームを復号する。
【００５１】
このように実施の形態３によれば、初回送信フレームにパリティビットをマッピングして送信し、受信側からフィードバックされた初回送信フレームの受信品質情報に基づいて、システマチックビットをマッピングする２回目送信フレームの送信電力を制御することにより、伝搬環境に応じた送信電力でシステマチックビットを送信することができるので、システマチックビットの受信品質を向上させることができ、パケット合成後の受信性能を改善することができる。また、システマチックビットの送信電力を所望の受信品質が得られる最低限に設定することができ、他ユーザへの干渉を軽減し、システム全体のスループットを向上させることができる。
【００５２】
なお、上記各実施の形態では、システマチックビットをマッピングした再送パケット又は２回目送信フレームの送信電力を制御する場合について説明したが、本発明はこれに限らず、２回目以降に送信される再送パケット、送信フレームの送信電力を制御するようにしてもよい。これにより、例えば、ＱｏＳ（Quality of Service）で許容されている最大再送回数で再送する場合など、受信側で誤りなしと判定させたいタイミングで再送パケット又は送信フレームの受信品質を向上させることができる。
【００５３】
上記各実施の形態では、本発明をハードウェアで構成する場合を例にとって説明したが、本発明はソフトウェアで実現することも可能である。
【００５４】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００５５】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【００５６】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【００５７】
本明細書は、２００５年１０月１１日出願の特願２００５−２９６７５２に基づくものである。この内容は全てここに含めておく。
【産業上の利用可能性】
【００５８】
本発明にかかる送信装置及び送信方法は、システマチックビットの受信品質を向上させ、再送回数を低減し、スループット性能を改善することができ、例えば、Ｈｙｂｒｉｄ−ＡＲＱのＩＲ方式に適用できる。
【図面の簡単な説明】
【００５９】
【図１】特許文献１に開示のＨｙｂｒｉｄ−ＡＲＱのＩＲ方式の説明に供する図
【図２】本発明の実施の形態１，３に係る送信装置の構成を示すブロック図
【図３】図２に示した送信装置とこの通信相手である受信装置との通信手順を示すシーケンス図
【図４】本発明の実施の形態２に係る送信装置の構成を示す図
【図５】送信パケットの受信時間内に受信側から送信されたＴＰＣコマンドの具体例を示す図
【図６】本発明の実施の形態３に係る送信装置とこの通信相手である受信装置との通信手順を示すシーケンス図
【手続補正３】
【補正対象書類名】図面
【補正対象項目名】全図
【補正方法】変更
【補正の内容】
【図１】
2007043397.tif 000009
【図２】
2007043397.tif 000010
【図３】
2007043397.tif 000011
【図４】
2007043397.tif 000012
【図５】
2007043397.tif 000013
【図６】
2007043397.tif 000014
【国際調査報告】
2007043397.tif 000015
2007043397.tif 000016
2007043397.tif 000017
2007043397.tif 000018